(57)【要約】モバイル装置における電力管理のための方法及び機器が提供される。機器は、モード検出器（１１０）及び電力管理部（１２０）を有する。モード検出器（１１０）は、モバイル装置の現在の動作モードを検出するために用いられる。電力管理部（１２０）は、検出された現在の動作モードに基づいて、モバイル装置の電力消費を管理するために用いられる。電力管理部（１２０）は、モバイル装置の電力消費を管理するよう、モバイル装置の少なくとも１つのデジタルテレビジョン機能をアクティブ又は非アクティブにする。
2009506663.tif 000002
【特許請求の範囲】
【請求項１】
モバイル装置における電力管理のための機器であって、
前記モバイル装置の現在の動作モードを検出するモード検出器と、
前記検出された現在の動作モードに基づいて前記モバイル装置の電力消費を管理する電力管理部とを有し、
前記電力管理部は、前記モバイル装置の前記電力消費を管理するよう、前記モバイル装置の少なくとも１つのデジタルテレビジョン機能をアクティブ又は非アクティブにする機器。
【請求項２】
前記モード検出器は、前記モバイル装置のハードウェアに関連する１又はそれ以上のハードウェア状態に基づいて前記モバイル装置の前記現在の動作モードを検出する、請求項１記載の機器。
【請求項３】
前記モード検出器は、インタラプト又はポーリングのうちの少なくとも１つによって前記ハードウェア状態を決定する、請求項２記載の機器。
【請求項４】
前記モード検出器は、前記モバイル装置の前記現在の動作モードを検出するために用いられるデータを得るよう、前記モバイル装置の前記ハードウェアにポーリングを行う、請求項２記載の機器。
【請求項５】
前記ハードウェア状態は、ユニバーサルシリアルバス装置が前記モバイル装置に取り付けられているかどうか、前記モバイル装置の電池電力供給の現在の充電レベル、外部電源が前記モバイル装置に適用されているかどうか、及びテレビジョン出力接続が現在アクティブであるかどうかという事項のうちの少なくとも１つを含む、請求項２記載の機器。
【請求項６】
前記モバイル装置は、少なくとも１つのフロントエンド・サブシステム及び少なくとも１つのミドルウェア・サブシステムを有し、
前記電力管理部は、前記少なくとも１つのフロントエンド・サブシステム及び前記少なくとも１つのミドルウェア・サブシステムのうちの少なくとも１つに、ハードウェア要素の所定のグループに関連するハードウェア状態の所定のグループの如何なる変化も通知する、請求項２記載の機器。
【請求項７】
前記電力管理部は、前記モバイル装置の電力消費を管理するよう、前記少なくとも１つのデジタルテレビジョン機能をサポートするハードウェアをアクティブ又は非アクティブにする、請求項１記載の機器。
【請求項８】
前記少なくとも１つのデジタルテレビジョン機能は、ダイバーシティモード機能、表示機能、及びデジタル−アナログ変換機能のうちの少なくとも１つに関連する、請求項１記載の機器。
【請求項９】
前記電力管理部は、複数の異なる電力消費プロファイルの中から選択することによって前記モバイル装置の電力消費を管理する、請求項１記載の機器。
【請求項１０】
前記電力管理部は、選択された電力消費プロファイルに従って前記モバイル装置の様々なハードウェアをアクティブ又は非アクティブにする、請求項１記載の機器。
【請求項１１】
モバイル装置における電力管理のための方法であって、
前記モバイル装置の現在の動作モードを検出するステップと、
前記検出された現在の動作モードに基づいて前記モバイル装置の電力消費を管理するステップとを有し、
前記電力消費を管理するステップは、前記モバイル装置の前記電力消費を管理するよう、前記モバイル装置の少なくとも１つのデジタルテレビジョン機能をアクティブ又は非アクティブにする方法。
【請求項１２】
前記動作モードを検出するステップは、前記モバイル装置のハードウェアに関連する１又はそれ以上のハードウェア状態に基づいて前記モバイル装置の前記現在の動作モードを検出する、請求項１１記載の方法。
【請求項１３】
前記動作モードを検出するステップは、インタラプト又はポーリングのうちの少なくとも１つによって前記ハードウェア状態を決定する、請求項１２記載の方法。
【請求項１４】
前記動作モードを検出するステップは、前記モバイル装置の前記現在の動作モードを検出するために用いられるデータを得るよう、前記モバイル装置の前記ハードウェアにポーリングを行う、請求項１２記載の方法。
【請求項１５】
前記ハードウェア状態は、ユニバーサルシリアルバス装置が前記モバイル装置に取り付けられているかどうか、前記モバイル装置の電池電力供給の現在の充電レベル、外部電源が前記モバイル装置に適用されているかどうか、及びテレビジョン出力接続が現在アクティブであるかどうかという事項のうちの少なくとも１つを含む、請求項１２記載の方法。
【請求項１６】
前記モバイル装置が、少なくとも１つのフロントエンド・サブシステム及び少なくとも１つのミドルウェア・サブシステムを有する場合に、
前記少なくとも１つのフロントエンド・サブシステム及び前記少なくとも１つのミドルウェア・サブシステムのうちの少なくとも１つに、ハードウェア要素の所定のグループに関連するハードウェア状態の所定のグループの如何なる変化も通知するステップを更に有する、請求項１２記載の方法。
【請求項１７】
前記電力消費を管理するステップは、前記モバイル装置の電力消費を管理するよう、前記少なくとも１つのデジタルテレビジョン機能をサポートするハードウェアをアクティブ又は非アクティブにする、請求項１１記載の方法。
【請求項１８】
前記少なくとも１つのデジタルテレビジョン機能は、ダイバーシティモード機能、表示機能、及びデジタル−アナログ変換機能のうちの少なくとも１つに関連する、請求項１１記載の方法。
【請求項１９】
前記電力消費を管理するステップは、複数の異なる電力消費プロファイルの中から選択することによって前記モバイル装置の電力消費を管理する、請求項１１記載の方法。
【請求項２０】
前記電力消費を管理するステップは、選択された電力消費プロファイルに従って前記モバイル装置の様々なハードウェアをアクティブ又は非アクティブにする、請求項１１記載の方法。
【発明の詳細な説明】
【技術分野】
【０００１】
本発明は、概して、モバイル装置に関し、より具体的には、モバイル装置の電力管理のための方法及び機器に関する。
【背景技術】
【０００２】
モバイル装置は、有限な電池電力に基づく制限に従う。即ち、モバイル装置の実用性は、制限された利用可能な電池電力によって制限される。例えば、デジタル地上信号を受信する携帯型テレビ受像機は、外部電源又は電池によって給電され得る。電池で作動する場合に、このような装置は、電力消費に極めて敏感である。
【発明の開示】
【発明が解決しようとする課題】
【０００３】
先行技術の上記及び他の欠点及び不都合は、本発明の原理によって解消される。本発明は、モバイル装置の電力管理のための方法及び機器を対象とする。
【課題を解決するための手段】
【０００４】
本発明の態様に従って、モバイル装置における電力管理のための機器が提供される。当該機器は、モード検出器及び電力管理部を有する。前記モード検出器は、前記モバイル装置の現在の動作モードを検出するために用いられる。前記電力管理部は、前記検出された現在の動作モードに基づいて、前記モバイル装置の電力消費を管理するために用いられる。前記電力管理部は、前記モバイル装置の前記電力消費を管理するよう、前記モバイル装置の少なくとも１つのデジタルテレビジョン機能をアクティブ又は非アクティブにする。
【０００５】
本発明の他の態様に従って、モバイル装置における電力管理のための方法が提供される。当該方法は、前記モバイル装置の現在の動作モードを検出するステップを有する。当該方法は、前記検出された現在の動作モードに基づいて、前記モバイル装置の電力消費を管理するステップを更に有する。前記電力消費を管理するステップは、前記モバイル装置の前記電力消費を管理するよう、前記モバイル装置の少なくとも１つのデジタルテレビジョン機能をアクティブ又は非アクティブにする。
【０００６】
本発明の上記並びに他の態様、特徴及び利点は、添付の図面に関連して読まれるべき例となる実施形態に関する以下の詳細な記載から明らかとなるであろう。
【発明を実施するための最良の形態】
【０００７】
本発明は、以下の例となる図に従って、より良く理解され得る。
【０００８】
本発明は、モバイル装置の電力管理のための方法及び機器を対象とする。
【０００９】
本明細書は、本発明の原理を表す。従って、明らかなように、たとえ本明細書中に明示的に記載されていなくとも、本発明の原理を具現化し且つその精神及び適用範囲の中に包含される様々な配置が当業者によって行われ得る。
【００１０】
ここに挙げられている全ての例及び条件付き専門用語は、本願の明細書及び特許請求の範囲等を読む者が、本願発明者によって当該技術の促進に寄与される本発明の原理及び概念を理解する助けとなる教育上の目的を対象とし、このような具体的に列挙された例及び条件に制限されることなく解釈されるべきである。
【００１１】
更に、本発明の原理、態様及び実施例、並びにその具体例をここに列挙する全ての記載は、その構造上及び機能上等価なものを包含するよう意図される。更に、このような等価なものは、現在知られる等価なもの及び将来的に開発される等価なもの、即ち、構造とは無関係に、同じ機能を実行する開発された如何なる要素も含むことが意図される。
【００１２】
従って、例えば、当業者には明らかなように、ここに与えられるブロック図は、本発明を具現化する実例となる回路の概念図を表す。同様に、如何なるフローチャート、フロー図、状態遷移図、擬似コードなども、実質上コンピュータ読取可能な媒体において与えられ得、そのようなコンピュータ若しくは処理装置が明示されていようとなかろうと、コンピュータ若しくは処理装置によって実行され得る様々なプロセスを表す。
【００１３】
図面に示される様々な要素の機能は、専用のハードウェア及び、適切なソフトウェアと関連してソフトウェアを実行可能なハードウェアの使用によって提供され得る。処理装置によって提供される場合、機能は、単一の専用処理装置によって、単一の共有処理装置によって、又は、その幾つかが共有され得る複数の個別処理装置によって提供され得る。更に、語“処理装置”又は“制御装置”の明示的使用は、ソフトウェアを実行可能なハードウェアに専ら関連するよう解釈されるべきではなく、無制限に、デジタル信号処理装置（ＤＳＰ）ハードウェア、ソフトウェアを記憶するための読み出し専用メモリ（ＲＯＭ）、ランダムアクセスメモリ（ＲＡＭ）、及び不揮発性記憶装置を暗に含みうる。
【００１４】
従来の且つ／あるいはカスタム仕様の他のハードウェアがまた、含まれても良い。同様に、図に示される如何なるスイッチも単なる概念に過ぎない。それらの機能は、プログラムロジックの動作により、専用ロジックにより、プログラム制御及び専用ロジックの相互作用により、又は手動で、実行され得る。特定の技術は、文脈からより具体的に理解されるように開発者によって選択され得る。
【００１５】
特許請求の範囲で、特定される機能を実行する手段として表される如何なる要素も、その機能を実行する如何なる方法も包含するよう意図され、例えば、ａ）その機能を実行する回路素子の組み合わせ、又はｂ）その機能を実行すべく当該ソフトウェアを実行する適切な回路と結合されるファームウェア、マイクロコードなど如何なる種類のものであれ含むソフトウェアを含む。特許請求の範囲で定義される本願発明の原理は、挙げられている様々な手段によって提供される機能性が、特許請求の範囲が請求する方法で組み合わされて結合されるという事実に存する。従って、このような機能性を提供しうる如何なる手段も、ここに示されるものと等価であると考えられる。
【００１６】
本発明の“一実施例”又は“一実施形態”という明細書中の言及は、その実施例に関連して記載される特定の特性、構造及び特徴が、本発明の少なくとも１つの実施例若しくは実施形態に含まれることを意味する。従って、本明細書の全体を通して様々な場所で現れる“一実施例で”又は“一実施形態で”というフレーズの出現は、必ずしも全てが同じ実施例若しくは実施形態について言及しているわけではない。
【００１７】
上述されるように、本発明は、モバイル装置の電力管理のための方法及び機器を対象とする。有利に、本発明は、ユーザが電池動作から最大限の使用を得ることを可能にするように、モバイル装置の総体的な電力消費の管理を可能にする。
【００１８】
図１を参照すると、モバイル装置の電力管理のための例となる機器は、概して、参照番号１００によって示されている。
【００１９】
機器１００は、モバイル装置１９０に組み込まれている。簡潔さのために、モバイル装置１９０の簡単な説明が与えられる。しかし、当業者は、本発明の適用範囲を保ちながら、本発明が適用され得るモバイル装置の以下の並びに他の要素及び実施を検討しうる。モバイル装置１９０は、処理装置１９１と、少なくとも１つのメモリ装置１９２と、入出力（Ｉ／Ｏ）インターフェース１９３と、ディスプレイ１９４と、少なくとも１つのスピーカー１９５と、少なくとも１つの受信器１８０と、アンテナ１９６とを有する。バス１９７は、モバイル装置１９０の前出の要素を相互接続する。
【００２０】
処理装置１９１は、例えば、単一の処理装置であっても良く、あるいは、例えば音声及び映像信号のようなデジタル信号を処理するためのデジタル信号処理部を含んでも良い。従って、処理装置１９１及び少なくとも１つの受信器１８０の１又はそれ以上のいずれかは、それだけに制限されないが、信号受信や復調などを含む信号処理を実行する対応する要素又は回路を含みうる。このような要素及び回路は、例えば、デジタル−アナログ変換器（ＤＡＣ）及びチューナなどを含みうる。
【００２１】
機器１００は、モード検出器１１０及び電力管理部１２０（以降、集合的に“電力管理部”と称する。）を有する。バス１９７は、また、機器１００の前出の要素を相互に接続するとともに、かかる要素をモバイル装置１９０の要素に接続する。当然、ここで提供される本発明の原理に従う技術を鑑みて、当業者は、本発明の適用範囲を保ちながら、モバイル装置の電力管理のための機器においてこれらの及び様々な他の要素を検討しうる。
【００２２】
モード検出器１１０は、モバイル装置１９０の様々な動作モードを検出する。従って、モード検出器１１０は、モバイル装置１９０の現在の動作モードの表示を提供することができる。電力管理部１２０は、（モード検出器１１０及びモバイル装置１９０自体の他の要素を含む）他の要素から情報を収集し、情報を他の要素へ送り、他の要素からの情報及び／又はそれ自身に基づいて動作することができる。かかる動作の結果、１又はそれ以上の要素の電力消費を変更することが可能となり、総体的な電力消費に対するそれらの寄与が最小限とされ得る。
【００２３】
明らかなように、モード検出器１１０及び電力管理部１２０はモバイル装置１９０の部分として示されるものとは別個の要素として示されるが、当業者は、モバイル装置１９０の１又はそれ以上の既存の構成要素がまた、本発明の適用範囲を保ちながら、本発明に従うモバイル装置の電力管理のための機器を実施するために使用され得ると理解することができる。例えば、機器１００は、本発明を実施するためにモバイル装置１９０の１又はそれ以上の既存の要素を使用しても良い。このような既存の装置は、処理装置１９１及び少なくとも１つのメモリ装置１９２を含みうるが、それらに限定されない。
【００２４】
一実施例で、本発明は、デジタル地上信号を受信する携帯型デジタルテレビジョン受像機の電力消費を管理するために適用される。携帯型デジタルテレビジョン受像機は、外部電源又は電池によって給電され得る。有利に、本発明は、携帯型デジタルテレビジョン受像機が、条件を満たした映像鑑賞経験を提供しながら電池電力で動作することができる時間の最大化を可能にする。実施例で、モバイル装置の異なる動作モードが検出され、モバイル装置の電力消費は電池寿命を最大限にするよう然るべく調整される。
【００２５】
モバイル装置の様々な動作モードに基づいて、モバイル装置は、夫々がそれ自身の電力消費プロファイルを有する多数の状態のうちの１つにあることができる。電力状態は、その状態にあるハードウェア構成要素の電力消費が明確であるという意味では明確である。本発明の実施例は、モバイル装置の要素（例えば、ハードウェア要素。）の電力を管理することによって、モバイル装置を様々な電力状態に遷移させる。
【００２６】
システム及び要素の状態に関する情報は定期的に集められる。システム及び／又は要素の状態が変化する場合に、メッセージが送信され、適切な手順がそのメッセージに基づいて行われる。実施例で、以下のハードウェア情報、即ち、ＵＳＢが取り付けられているかどうか；外部電源がユニットに適用されているかどうか；電池状態及び充電レベル；及び、ＴＶ出力接続が形成されているかどうかは、本発明に従って監視され得る。当然、ここで与えられる本発明の技術を鑑みて、当業者は、本発明の適用範囲を保ちながら、電力監視の目的で監視され得るこれらの及び様々な他の種類の情報を検討しうる。
【００２７】
実施例で、本発明は、一連のインタラプト・サービスルーチン及びタスクを用いてモバイル装置において電力管理を実施する。
【００２８】
タスクは、ハードウェア状態の変化を示すメッセージを待つ。かかるメッセージは、定期的にタスクによって収集されるデータから又はＩＳＲからもたらされ得る。あるハードウェアの変化は、必ずしも発生して割り込むわけではなく、従って、かかる変化を生ずるハードウェア要素は、状態に関して定期的にポーリングを行われる。ＩＳＲが入来する場合又はポーリングが状態の変化を明らかにする場合、電力管理部は適切な動作を取る。この動作は変化の種類に依存し、一方、それは、通常は、電力消費を最小限とすることに連動する。
【００２９】
実施例で、電力管理部は、ユーザからの入力があると、ユニットを待機モードに置く。待機モードで、電力管理部は、電力消費を最小限とするよう幾つかの動作を実行することができる。かかる動作の中で、液晶ディスプレイ（ＬＣＤ）又は他の種類のディスプレイがオフされ、メインのマイクロプロセッサ内の音声及び映像デジタル−アナログ変換器（ＤＡＣ）の電源は落とされる。モバイル装置が少なくとも１５分間待機モードのままであり、電池で動作しているならば、電源管理部は、電池電力を節約するためにモバイル装置を停止させうる。電力管理部の他の機能は、要素（例えば、ハードウェア。）の状態の変化に関してフロントエンド及びサブシステムに通知することである。フロントエンド・サブシステムは、外部電力が印加又は除去されたかどうかを通知される。このことは、フロントエンド・サブシステムが自身の受信器の電力消費を管理することを可能にする。
【００３０】
図２を参照すると、モバイル装置における電力管理のための例となる方法は、概して、参照番号２００によって示されている。方法２００は、決定ブロック２１０に制御を渡す開始／メッセージ待機ブロック２０５を有する。決定ブロック２１０は、タイムアウト状態が生じたか否かを判断する。タイムアウト状態が生じたならば、制御は機能ブロック２１５へ渡される。あるいは、タイムアウト状態が生じなかったならば、制御は決定ブロック２３５に渡される。
【００３１】
機能ブロック２１５は、ハードウェアにポーリングを行い、ＩＳＲを待ち、制御を決定ブロック２２０に渡す。決定ブロック２２０は、外部電源が使用されているか否か及び／又はＵＳＢ装置が取り付けられているか否かを判断する。外部電源が使用されている場合及び／又はＵＳＢ装置が取り付けられている場合には、制御は機能ブロック２２５に渡される。あるいは、外部電源が使用されていない場合及び／又はＵＳＢ装置が取り付けられていない場合には、制御は決定ブロック２６０に渡される。
【００３２】
機能ブロック２２５は、状態の変化を示すメッセージを送信し、制御を機能ブロック２３０に渡す。機能ブロック２２５に関して、このようなブロックは、状態変化（例えば、ＵＳＢがプラグ接続された、外部電源がプラグ接続されたといった、ハードウェア構成の変化。）に関して他の層（例えば、受信器ブロックのようなソフトウェア層）へメッセージを送信するソフトウェア機構として実施され得る。機能ブロック２３０は、状態の変化を示すメッセージを送信し、制御を開始／メッセージ待機ブロック２０５に返す。機能ブロック２３０に関して、このようなブロックは、状態変化に関して他の層（例えばミドルウェア。）へメッセージを送信するソフトウェア機構として実施され得る。
【００３３】
決定ブロック２６０は、ＴＶ出力接続が形成されているか否かを判断する。ＴＶ出力接続が形成されているならば、制御は機能ブロック２３０に渡される。あるいは、ＴＶ出力接続が形成されていないならば、制御は機能ブロック２１５に返される。
【００３４】
決定ブロック２３５は、運転停止入力が受け取られたか否かを判断する。運転停止入力が受け取られたならば、制御は機能ブロック２４０に渡される。あるいは、運転停止入力が受け取られなかったならば、制御は決定ブロック２４５に渡される。
【００３５】
機能ブロック２４０はモバイル装置を停止させ、当該方法は終了する。
【００３６】
決定ブロック２４５は、待機モード入力が受け取られたか否かを判断する。待機モード入力が受け取られたならば、制御は機能ブロック２５０に渡される。あるいは、待機モード入力が受け取られなかったならば、制御は機能ブロック２０５に返される。
【００３７】
機能ブロック２５０は、ＬＣＤ画面をオフ／オンし、制御を機能ブロック２５５に渡す。機能ブロック２５５は、状態の変化を示す他の層へのメッセージを送信し、制御を開始／メッセージ待機ブロック２０５に返す。機能ブロック２５０に関して、このようなブロックは、状態変化に関して他の層（例えばミドルウェア。）へメッセージを送信するソフトウェア機構として実施され得る。
【００３８】
当然、ブロック２１５、２２０、２２５、２３０及び２６０は、モニタ状態２９７に対応する。更に、機能ブロック２４０は、運転停止状態２９８に対応する。また、機能ブロック２５０及び２５５は、待機状態２９９に対応する。
【００３９】
更に、当然、図２の方法２００のブロックの幾つかは、ハードウェアやソフトウェアなどの特定の実施に関して記載されているが、本発明はそのように限定されず、従って、ここで与えられる本発明の技術を鑑みて、他の実施がまた、本発明の適用範囲を保ちながら用いられ得る。
【００４０】
図３を参照すると、モバイル装置の例となる電力消費状態が、概して、参照番号３００によって示されている。電力消費状態３００は、オフ状態３１０及びオン状態３２０を有する。
【００４１】
図３に示される状況の多くは、外部電力（ＥＰ）がモバイル装置に適用されている状況３５２又は適用されていない状況３５１と、モバイル装置の現在のモード（例えば、待機３５３、起動。）と、鑑賞３５４と、現在のアプリケーション（例えば、ソフトウェアのダウンロード３５５、ＭＨＥＧ（Multimedia  and  Hypermedia  information  coding  Expert  Group）アプリケーションの実行３５６。）と、アクティブ状態のＴＶ出力接続の保有３５７と、ダイバーシティモードの使用３５８（即ち、同じ信号若しくは別の信号を受信する２つの受信器の使用及び、後者の場合に両方の信号を同時に表示するＰＩＰ若しくは同様の技術の任意の使用。）と、ＵＳＢ装置の接続と、低電池状態とに関する。幾つかの場合で、いずれかのボタンの押下（ＰＡＢ）による入力又は電源ボタンの押下は、モードを切り替える場合などに使用され得る。決定要求３６０は、２又はそれ以上の可能な経路に関する制御フローを表す。
【００４２】
目下、本発明に関する多数の付随する利点／特徴の幾つかが記載される。それらの幾つかは、既に上述されている。例えば、１つの利点／特徴は、モバイル装置における電力管理のための機器である。当該機器は、モバイル装置の電源の動作モードを検出するモード検出器を有する。当該機器は、前記検出された現在の動作モードに基づいて、モバイル装置の電力消費を管理する電力管理部を更に有する。この電力管理部は、モバイル装置の電力消費を管理するよう、モバイル装置の少なくとも１つのデジタルテレビジョン機能をアクティブ又は非アクティブにする。
【００４３】
他の利点／特徴は、前記モード検出器が、モバイル装置のハードウェアに関する１又はそれ以上のハードウェア状態に基づいて、モバイル装置の現在の動作モードを検出するところの上述される機器である。
【００４４】
更なる他の利点／特徴は、上述されたように１又はそれ以上のハードウェア状態に基づいてモバイル装置の現在の動作モードを検出するモード検出器を有する機器であって、前記モード検出器は、インタラプト及びポーリングのうちの少なくとも１つによって前記ハードウェア状態を決定するところの機器である。
【００４５】
更に、他の利点／特徴は、上述されたように１又はそれ以上のハードウェア状態に基づいてモバイル装置の現在の動作モードを検出するモード検出器を有する機器であって、前記モード検出器は、モバイル装置の前記現在の動作モードを検出するために使用されるデータを得るようモバイル装置のハードウェアにポーリングを行うところの機器である。
【００４６】
更に、他の利点／特徴は、上述されたように１又はそれ以上のハードウェア状態に基づいてモバイル装置の現在の動作モードを検出するモード検出器を有する機器であって、前記ハードウェア状態は、ユニバーサルシリアルバス装置がモバイル装置に取り付けられているかどうか、モバイル装置に給電する電池の現在の充電レベル、外部電源がモバイル装置に適用されているかどうか、及びテレビジョン出力接続が目下アクティブであるかどうかという事項のうちの少なくとも１つを含むところの機器である。
【００４７】
また、他の利点／特徴は、上述されたように１又はそれ以上のハードウェア状態に基づいてモバイル装置の現在の動作モードを検出するモード検出器を有する機器であって、前記モバイル装置は、少なくとも１つのフロントエンド・サブシステム及び少なくとも１つのミドルウェア・サブシステムを有し、前記電力管理部は、前記少なくとも１つのフロントエンド・サブシステム及び前記少なくとも１つのミドルウェア・サブシステムのうちの少なくとも１つに、ハードウェア要素の所定のグループに関連するハードウェア状態の所定のグループの如何なる変化も通知するところの機器である。
【００４８】
更に、他の利点／特徴は、前記電力管理部がモバイル装置の電力消費を管理するよう少なくとも１つのデジタルテレビジョン機能をサポートするハードウェアをアクティブ又は非アクティブにするところの上述される機器である。
【００４９】
更に、他の利点／特徴は、前記少なくとも１つのデジタルテレビジョン機能がダイバーシティモード機能、表示機能、及びデジタル−アナログ変換（ＤＡＣ）機能のうちの少なくとも１つに関連するところの上述される機器である。
【００５０】
更に、他の利点／特徴は、前記電力管理部が複数の異なる電力消費プロファイルの中から選択することによって前記モバイル装置の電力消費を管理するところの上述される機器である。
【００５１】
また、他の利点／特徴は、前記電力管理部が選択された電力消費プロファイルに従って前記モバイル装置の様々なハードウェアをアクティブ又は非アクティブにするところの、上述される機器である。
【００５２】
本発明のこれらの及び他の特徴及び利点は、ここでの技術に基づいて当業者によって容易に確かめられ得る。当然、本発明の原理に関する教示は、様々な形態のハードウェア、ソフトウェア、ファームウェア、特殊用途処理装置、又はそれらの組み合わせにおいて実施され得る。
【００５３】
最も望ましくは、本発明の原理に関する教示は、ハードウェア及びソフトウェアの組み合わせとして実施される。更に、ソフトウェアは、プログラム記憶ユニットで明白に具現化されるアプリケーションプログラムとして実施され得る。アプリケーションプログラムは、いずれかの適切なアーキテクチャを有する機械へアップロードされて実行され得る。望ましくは、機械は、例えば、１又はそれ以上の中央演算処理ユニット（ＣＰＵ）、ランダムアクセスメモリ（ＲＡＭ）及び入出力（Ｉ／Ｏ）インターフェースのようなハードウェアを有するコンピュータプラットフォーム上で実施される。コンピュータプラットフォームは、また、オペレーティングシステム（ＯＳ）及びマイクロ命令コードを含みうる。ここに記載される様々な処理及び機能は、ＣＰＵによって実行され得るマイクロ命令コードの一部若しくはアプリケーションプログラムの一部、又はそれらのいずれかの組み合わせであっても良い。加えて、様々な他の周辺ユニットは、例えば、増設データ記憶ユニット及び印刷ユニットのように、コンピュータプラットフォームへ接続されても良い。
【００５４】
更に、当然、添付の図面に表される構成要素であるシステム要素及び方法は、望ましくはソフトウェアにおいて実施されるので、システム要素又は処理機能ブロックの間の実際の接続は、本発明の原理がプログラミングされるところの方法に依存して異なっても良い。ここでの教示を鑑みて、当業者は、本発明のこれらの及び同様の実施又は構成を考え出すことができる。
【００５５】
実例となる実施形態が添付の図面を参照してここで記載されてきたが、当然、本発明の原理は、かかる厳密な実施形態に限定されず、様々な変更及び変形が、本発明の精神及び適用範囲から逸脱することなく当業者によって実施され得る。全てのこのような変更及び変形は、添付の特許請求の範囲で挙げられるような本発明の原理の適用範囲内に含まれるよう意図される。
【００５６】
［関連出願の相互参照］
本願は、２００５年８月２４日に出願された米国仮出願整理番号６０／７１０，７３５に係る優先権を主張するものである。先の出願は、その全体を本願で参照することによって援用される。
【図面の簡単な説明】
【００５７】
【図１】本発明の実施例に従うモバイル装置の電力管理のための例となる機器のブロック図である。
【図２】本発明の実施例に従うモバイル装置における電力管理のための例となる方法のフロー図である。
【図３Ａ】本発明の実施例に従うモバイル装置の電力消費状態（オフ状態）のハイレベルブロック図である。
【図３Ｂ】本発明の実施例に従うモバイル装置の電力消費状態（オン状態）のハイレベルブロック図である。
【図１】
2009506663.tif 000003
【図２】
2009506663.tif 000004
【図３Ａ】
2009506663.tif 000005
【図３Ｂ】
2009506663.tif 000006
【国際調査報告】
2009506663.tif 000007
2009506663.tif 000008
2009506663.tif 000009
2009506663.tif 000010
2009506663.tif 000011
2009506663.tif 000012